(57)【要約】【課題】地下道内に存在する危険を明確に伝達でき、警告表示を確認した歩行者等が警告表示に応じて即時に対応可能とできる地下道危険警告システム及びそれに用いられる情報表示板を提供する。【解決手段】情報表示部２に地下道内における危険に応じた具体的な内容が文字情報により表示されることで、情報表示板２を視認した地下道入り口３０周辺の歩行者等が地下道内に存在する危険を明確に把握でき、地下道内の種々の危険に応じて迅速且つ確実な対応を行うことが可能となる。また情報表示部２及び側面に配置された支脚で情報表示板１０は形成され、見栄えがよくなり都市部においての景観を損ねることがなくなる。【参照図】        図２【特許請求の範囲】
【請求項１】
地下道内に設置された危険検知手段と、地下道入り口近傍に設置された情報表示部とを備え、前記危険検知手段により検知された地下道に存在する危険に応じて前記情報表示部により文字情報を表示することを特徴とする地下道危険警告システム。
【請求項２】
前記情報表示部は、地下道入り口の上方に設けられた上屋に取り付けられていることを特徴とする請求項１に記載の地下道危険警告システム。
【請求項３】
請求項１又は２に記載の地下道危険警告システムに用いられ、前面が文字表示を行う箱状の情報表示部が支脚により支持され、該支脚は前記情報表示部の前面及び背面を除く側面に取り付けられたものであることを特徴とする情報表示板。
【請求項４】
前記支脚は、前記情報表示部に設けられた取付溝に嵌入されて取り付けられ、該支脚の外側面と前記情報表示部の外側面とが略面一となされていることを特徴とする請求項３に記載の情報表示板。
【請求項５】
前記支脚は、一体のパイプ材を折り曲げて横梁部が共に形成され、該支脚及び／又は前記横梁部に前記情報表示部が取り付けられていることを特徴とする請求項３又は４に記載の情報表示板。
【発明の詳細な説明】
【技術分野】
【０００１】
本発明は、地下道入り口に設置され、地下道内に存在する危険を報知する地下道危険警告システム及びそれに用いられる情報表示板に関するものである。
【背景技術】
【０００２】
地下道内に存在する危険を警告する警告システムについては、極一般的に用いられてきており、地下道内に異常が発生したときに異常を認めた通行者が報知ボタンを入力すると、地下道入り口に設置された回転灯やブザーが地上を通行する歩行者や車両の運転者などに地下道内に危険が存在することを報知するものである。
【０００３】
そのような警告システムに用いられる警告装置については、例えば特許文献１にアラーム状態に達するとそれを知らせるためにアラーム表示を行うアラーム装置に置いて、アラーム検出のレベルに応じてアラーム表示を異ならしめる表示駆動回路を設け、アラーム表示によりアラーム状況を容易に知り得、アラーム表示は音とランプにより表示するアラーム装置が開示されている。
【０００４】
【特許文献１】特開昭５７−１８９２９１号公報
【発明の開示】
【発明が解決しようとする課題】
【０００５】
しかしながら、地下道に存在する危険については、大雨時の冠水、犯罪の発生など地下道自体に存在するものの他に、歩行者や自転車が見通しの悪い箇所で衝突の恐れが出てくる予見される危険も存在する。近年、自転車の通行が可能である地下道が増えつつあり、後者の予見される危険に対する対応への要望が高まっている状況において、従来の警告システムでは地下道内にどの様な危険が存在するのか明確に把握できず、地下道の利用者や、警告表示を確認した歩行者等が即時に対応できないものであった。
【０００６】
本発明は上記の如き課題に鑑みてなされたものであり、地下道内に存在する危険を明確に伝達でき、警告表示を確認した歩行者等が警告表示に応じて即時に対応可能とできる地下道危険警告システム及びそれに用いられる情報表示板を提供せんとするものである。
【課題を解決するための手段】
【０００７】
上記課題を解決するため、本発明は以下のような構成としている。すなわち、本発明に係わる地下道危険警告システムは、地下道内に設置された危険検知手段と、地下道入り口近傍に設置された情報表示部とを備え、前記危険検知手段により検知された地下道に存在する危険に応じて前記情報表示部により文字情報を表示することを特徴とするものである。
【０００８】
また前記情報表示部は、地下道入り口の上方を覆う上屋に取り付けられていることを特徴とするものである。
【０００９】
また本発明に係わる情報表示板は、本発明請求項１又は２に記載の地下道危険警告システムに用いられ、前面が文字表示を行う箱状の情報表示部が支脚により支持され、該支脚は前記情報表示部の前面及び背面を除く側面に取り付けられたものであることを特徴とするものである。
【００１０】
また前記支脚は、前記情報表示部に設けられた取付溝に嵌入されて取り付けられ、該支脚の外側面と前記情報表示部の外側面とが略面一となされていることを特徴とするものである。
【００１１】
また前記支脚は、一体のパイプ材を折り曲げて横梁部が共に形成され、該支脚及び／又は前記横梁部に前記情報表示部が取り付けられていることを特徴とするものである。
【発明の効果】
【００１２】
請求項１に記載の本発明に係わる地下道危険警告システムによれば、情報表示部に地下道内における危険に応じた具体的な内容が文字情報により表示されることで、情報表示板を視認した地下道入り口周辺の歩行者等が地下道内に存在する危険を明確に把握でき、地下道が冠水していることが示されれば迂回を、地下道内で犯罪が発生していることが示されていれば警察への通報を、地下道内を自転車が進行していることが示されればその接近を注意するといった、地下道内の種々の危険に応じて迅速且つ確実な対応を行うことが可能となる。
【００１３】
また請求項２の発明によれば、地下道入り口の上屋を利用することで特に支柱等を別途設けることなく取り付けることで情報表示部を設置でき、また視認しやすい高さに設置するのも容易となり好ましい。
【００１４】
また請求項３に記載の本発明に係わる情報表示板によれば、情報表示部は支脚を介して取り付けられるものとなり、支脚に取付手段を備えておくことで情報表示部の取り付けが容易なものとなり、また支脚が前面及び背面を除く側面に取り付けられることで、文字情報の表示が支脚により妨げられることがなくなり、また支脚と情報表示部とが一体感を持った外観となり、見栄えもよくすることができ好ましい。
【００１５】
また請求項４の発明によれば、支脚が情報表示部の取付溝に嵌入されて、支脚及び情報表示部の外側面が略面一となされていることで、取付溝を用いて支脚への情報表示部の取り付けの強度を高めることができると共に、情報表示部の外側面からの支脚の外側面の張り出しをなくすることができ、更に見栄えを良好なものとでき好ましい。
【００１６】
また請求項５の発明によれば、支脚と横梁部とを一体のパイプ材により形成できることで部材点数を減らして形成の手間を減らすことができると共に、横梁部を用いて上方又は下方から情報表示部を支持でき、情報表示部の支持をより確実に行うようにでき好ましい。
【発明を実施するための最良の形態】
【００１７】
本発明に係わる最良の実施の形態について、図面に基づき以下に具体的に説明する。
図１は、本発明に係わる地下道危険警告システムの、一連の動作を示すフロー図である。危険検知手段１は、地下道の水分を検知し、冠水の有無を検知する水位検知センサー１Ａ、走行する自転車を検知する自転車検知センサー１Ｂ、地下道を通行する歩行者等が犯罪を目撃したときにボタン入力をする犯罪報知ボタン１Ｃといったものが地下道内に設けられる。危険検知手段１により危険が検知されると、危険検知手段１から送信される複数種類の信号に応じて、文字選択部３が情報表示部２において表示する文字を選択する。例えば地下道が冠水し、水位検知センサー１Ａが地下道内で水位の上昇を検知すると、予め複数種類の文字情報が記憶されている文字選択部３において冠水に応じた文字情報が選択され、選択された文字情報に応じて情報表示部２が「地下道内冠水通行止め」といった文字情報を地下道入り口近傍で表示する。地下道を通行しようとする歩行者等がその文字情報を視認すれば、入り口付近で回転灯が点灯したりブザーが鳴動したりしている場合のみと異なり、地下道内に入ってその事象を確認するまでもなく地下道内で冠水が起こっていることを瞬時に且つ確実に判断でき、迂回する等の措置を迅速に行うことができる。
【００１８】
また自転車検知センサー１Ｂが地下道内を走行してきた自転車を検知した場合には、情報表示部２が「自転車接近中前方注意」といった文字情報を表示し、地下道近傍の歩行者等は自転車の接近による衝突の危険性を事前に察知し、回避等の対応を迅速に行うことができる。また地下道内で犯罪が発生するか予見される場合には、地下道内に設置された犯罪報知ボタン１Ｃを地下道の利用者が入力すると、情報表示部２が「非常事態発生１１０番通報」といった文字情報を表示し、地下道近傍の歩行者等は地下道内に進入して状況の確認を行う必要なく事態を把握して、迅速に警察への通報を行い犯罪の被害を最小限に留めるか、犯罪を未然に防止することができる。
【００１９】
危険検知手段１は、地下道内に設置すればよく、危険を検知したとの信号を文字選択部３に送信できるものである。水位検知センサー１Ａは、地下道内のある程度の高さに水分計を設置したり、水分を検知できるレーダー等を用いてもよい。また自転車検知センサー１Ｂは、車道などと異なり自動車の走行が考えられない場所であれば自転車の金属部を検知できるレーダー等を好適に用いることができる。また犯罪報知ボタン１Ｃは、汎用の非常用のボタンを用いてよく、またボタンに替えて一定の大きさの音量以上に反応する音声モニターなどを用いてもよい。
【００２０】
情報表示部２は、文字情報を表示するものであれば特に限定されるものではなく、予め複数の文字情報を記載したものを用意しておき、文字選択部３からの指示に応じて表示するものや、可変式の字幕や、それらの内照式のものなどを用いてもよいが、ＬＥＤをドットマトリックス状に配置してその発光により文字情報を表示するものとすれば、種々の文字情報を瞬時に且つフレキシブルに表示することができ、また地下道に存在する危険は夜間においてより増大するものが多く、その夜間における文字情報の視認性を高めることができ好ましい。また文字表示のみならず、回転灯、点滅灯や音声発生装置等を並設してもよい。
【００２１】
文字選択部３は、危険検知手段１からの信号に応じて情報表示部２で表示する文字情報を選択させるもので、例えば複数の文字情報を記載したものを表示するには各々の情報表示部２と直結的に接続して表示させるものでもよく、可変式の字幕では予め信号と字幕の可変装置の送り位置とを対応させて記憶しておいてもよく、内照式のものであれば照明装置のスイッチを連動させておいてよい。また例えばＬＥＤをドットマトリックス状に配置したものであれば、複数種類の点灯パターンの記憶回路を組み込んでおき、危険検知手段１からの信号に応じて点灯パターンを読み出して文字情報を表示するものであってもよい。また危険検知手段１や情報表示部２に一体に組み込んでもよく、別途設置してもよい。
【００２２】
図２は、情報表示部２の地下道入り口上方に設置された上屋へ取り付けられた一例を示す説明図である。地下道の入り口３０の上方にシェルター状の上屋２０が設けられ、その上屋２０の周辺部の横梁材２０１の上面に、ＬＥＤをドットマトリックス状に配置した情報表示部２が設けられた情報表示板１０が支脚４を介して取り付けられていることで、情報表示部２が地下道に進入する歩行者等や周囲の歩行者や車両から視認しやすくなされている。情報表示板１０の両脇には回転灯Ｋが配置され、更に上部にはスピーカーＳが配置され、それらからの光や音声により文字表示への誘目性が高められるようになされている。
【００２３】
図３は、情報表示部２の地下道入り口上方に設置された上屋へ取り付けられた他の例を示す説明図である。地下道の入り口３０のシェルター状の上屋２０が設けられ、その上屋２０内の入り口からやや奥の方に差し渡された横梁材２０２から下方に情報表示板１０が支脚４を介して取り付けられている。地下道の入り口３０から地下道へは階段となっており、情報表示板１０をやや奥の方の横梁材２０２に取り付けることで、下方に向けて設置しても地下道へ進入する歩行者等が衝突する恐れがなく、また歩行者や自転車の運転者等の目線に近い位置に情報表示部２が配置され、文字情報の視認性が高められる。更に情報表示板１０が上屋２０により雨水等から保護され、機器の寿命の延長やメンテナンスの軽減に繋げることができる。
【００２４】
図２及び図３の情報表示板１０は、自動車等を対象に用いられる情報表示板と異なり、歩行者や自転車、車椅子利用者までを対象としたものであり、視点は比較的近い３ｍ〜３５ｍ程度となるが、情報表示板１０が歩行者等に衝突しないようにするには下端までの高さが２．５ｍ程度必要となり、かかる状況に於いて、平面となされた情報表示部２の文字情報が確実に視認できるには、情報表示部２の面を５〜１０度前傾させるのが好ましく、より好ましくは７〜８度である。
【００２５】
図４は、本発明に係わる地下道危険警告システムに用いられる情報表示板の、実施の一形態を示すもので、イ）は形成の状態を示す説明図、ロ）は形成後の状態を示す説明図である。イ）において、箱状の情報表示部２は前面に文字情報を表示する文字表示部２１が設けられ、両側面及び下面の全周に亘って取付溝２２が形成されている。取付溝２２に対し、取付溝２２と略同一の断面形状となされた支脚４が嵌入されて取り付けられる。支脚４は一体のパイプ材Ｐを折り曲げて横梁部５と共に形成され、横梁部５も情報表示部２の取付溝に嵌入される。この支脚４を用いて、情報表示部２は上屋等に取り付けられる。支脚４と横梁部５が一体に形成されていることで、横梁部５により情報表示部２が取り付けられた状態が安定したものとなる。
【００２６】
ロ）において、取付溝２２と支脚４及び横梁部５とが略同一の断面形状となされていることで、嵌入されると支脚４及び横梁部５の外側面と、情報表示部２の外側面とが略面一となり、支脚４や横梁部５が目立つことがなく外観を良好なものとできる。また情報表示部２がＬＥＤ基板や制御機器等を収納するために前後の幅が大きいものとなっても、支脚４が前面及び背面以外である側面に配置されることで、一体感を持った外観とできると共に、情報表示部２の前後の幅の大きさを目立たないようにすることができる。また文字表示部２１と設置時における路面からの垂線Ｃとの角度θは約７度となされて、文字情報の視認性が高められている。
【図面の簡単な説明】
【００２７】
【図１】本発明に係わる地下道危険警告システムの、実施の一形態を示すフロー図である。
【図２】地下道入り口上方に設けられた上屋への、情報表示部の取付状態の一例を示す説明図である。
【図３】地下道入り口上方に設けられた上屋への、情報表示部の取付状態の他の例を示す説明図である。
【図４】本発明に係わる情報表示板の、実施の一形態を示す説明図である。
【符号の説明】
【００２８】
１    危険検知手段
２    情報表示部
２１  文字表示部
２２  取付溝
３    文字選択部
４    支脚
５    横梁部
１０  情報表示板
２０  上屋
３０  地下道入り口
【図１】
2005084718.tif 000002
【図２】
2005084718.tif 000003
【図３】
2005084718.tif 000004
【図４】
2005084718.tif 000005